(57)【要約】【課題】  缶容器の内圧に対する性能を確保しつつ、開封時にタブと開口片との間で滑りが生じて開口片が開口不可能に変形することを防止する缶蓋を提供する。【解決手段】  パネル部２の中心Ｏに形成されたリベット５と、スコア線７によって区画されて形成された開口片８と、開口片８と上下方向で対向するよう配置された押し下げ部１２を一端部に有しリベット５に取り付けられたタブ１０と、タブ１０の押し下げ部１２側とは反対側に設けられた指掛け部１１とを備え、指掛け部１１が上方に持ち上げられることにより、押し下げ部１２が開口片８に当接し、かつ開口片８を下方に押圧して、スコア線７を破断させ開口片８を開口させるように構成された缶蓋１において、押し下げ部１２は、開口片８と接触する部分に表面形状が凹凸に形成された滑り止め部１５を備えていることを特徴とする。【選択図】図１
2015071436.tif 000002
【特許請求の範囲】
【請求項１】
パネル部の上面中央部に突出して形成されたリベットと、
前記パネル部にスコア線によって区画されて形成された開口片と、
前記開口片と上下方向で対向するよう配置された押し下げ部を一端部に有し前記リベットに取り付けられたタブと、
前記タブの前記押し下げ部側とは反対側の他端部に設けられた指掛け部とを備え、
前記指掛け部が上方に持ち上げられることにより、前記押し下げ部が前記開口片に当接し、かつ当該開口片を下方に押圧して、前記スコア線を破断させ前記開口片を開口させるように構成された缶蓋において、
前記押し下げ部は、前記開口片と接触する部分に表面形状が凹凸に形成された滑り止め部を備えていることを特徴とする缶蓋。
【請求項２】
前記押し下げ部は、前記開口片と対向する部分に縦断面曲線状のコーナー部を備え、
前記滑り止め部は、前記コーナー部の表面に形成されていることを特徴とする請求項１に記載の缶蓋。
【請求項３】
前記滑り止め部は、前記押し下げ部の外周縁に沿う方向に延びるように形成された溝部であることを特徴とする請求項１または２に記載の缶蓋。
【請求項４】
前記タブは、略長方形状に形成され、
前記押し下げ部は、前記タブの長手方向で一端部を構成するとともに、略円弧状に形成された部分に前記長手方向における先端部を有し、
前記滑り止め部は、前記押し下げ部のうち、前記押し下げ部の先端部と前記リベットの中心とを結ぶ直線に対して、前記パネル部に前記スコア線の終端部が設けられている側に設けられていることを特徴とする請求項１から３のいずれかに記載の缶蓋。
【請求項５】
前記滑り止め部は、前記押し下げ部のうちの、前記リベットを中心とする中心角が、前記押し下げ部の先端部と前記リベットの中心とを結ぶ直線からの角度範囲で３０°以上８０°以下となる領域内に形成されていることを特徴とする請求項４に記載の缶蓋。
【発明の詳細な説明】
【技術分野】
【０００１】
この発明は、缶容器の開口部を形成する缶蓋に関し、特にステイオンタブ式の缶蓋に関する。
【背景技術】
【０００２】
従来、缶蓋に開封操作可能に固着されたタブと、スコア線により区画形成された開口片とを備えるステイオンタブ式の缶蓋が知られている。その缶蓋を備えた缶容器において、開封者により開封操作されたタブの端部が開口片を下方に押圧して缶容器を開口させる際、そのスコア線が全域に亘って破断される前に、タブと開口片との当接部分が滑り始め、開口片がそれ以上破断不可能になる現象、いわゆる空振りと称される現象が起きる可能性がある。そのため、缶容器の開封時に空振りが起きることを防止させるために種々の缶蓋が開発されている。
【０００３】
例えば、特許文献１には、開口片のうち、開封操作されたタブの先端部が当接する領域に、接触抵抗を持たせるための格子溝を設けられた缶蓋が開示されている。その格子溝は、例えば斜め方向の溝が格子状に設けられ、あるいは接触抵抗の大きさに方向性を持たせた溝間隔により形成されている。
【先行技術文献】
【特許文献】
【０００４】
【特許文献１】特開２０００−２１１６４２号公報
【発明の概要】
【発明が解決しようとする課題】
【０００５】
しかしながら、特許文献１に記載された構成では、開口片の表面に格子溝が形成されていることにより缶蓋表面に弱化部が形成されていることになり、缶蓋のバルジ圧性能が低下する虞がある。すなわち、缶容器の内圧が大気圧よりも高い陽圧缶となる場合、缶蓋のリベット付近がより膨出しやすくなるため、缶蓋のタブが缶の上端よりも突出する状態になる、いわゆるバルジ不良となる虞が高まる。また、缶容器の内圧が大気圧の状態では缶蓋の表面形状が直線状であるものの、大気圧よりも低い陰圧缶となる場合には、缶蓋が缶容器内方に撓むように変形するため、その表面形状が曲線状に変化して格子溝の溝幅が狭まるなど、空振りを防止させるための滑り止め効果が低減する可能性がある。
【０００６】
この発明は、上記の技術的課題に着目してなされたものであって、缶容器の内圧に対する性能を確保しつつ、開封時にタブと開口片との間で滑りが生じて空振りが発生することを防止する缶蓋を提供することを目的とするものである。
【課題を解決するための手段】
【０００７】
上記の課題を解決するために、請求項１に係る発明は、パネル部の上面中央部に突出して形成されたリベットと、前記パネル部にスコア線によって区画されて形成された開口片と、前記開口片と上下方向で対向するよう配置された押し下げ部を一端部に有し前記リベットに取り付けられたタブと、前記タブの前記押し下げ部側とは反対側の他端部に設けられた指掛け部とを備え、前記指掛け部が上方に持ち上げられることにより、前記押し下げ部が前記開口片に当接し、かつ当該開口片を下方に押圧して、前記スコア線を破断させ前記開口片を開口させるように構成された缶蓋において、前記押し下げ部は、前記開口片と接触する部分に表面形状が凹凸に形成された滑り止め部を備えていることを特徴とするものである。
【０００８】
請求項２に係る発明は、請求項１の発明において、前記押し下げ部は、前記開口片と対向する部分に縦断面曲線状のコーナー部を備え、前記滑り止め部は、前記コーナー部の表面に形成されていることを特徴とする缶蓋である。
【０００９】
請求項３に係る発明は、請求項１または２の発明において、前記滑り止め部は、前記押し下げ部の外周縁に沿う方向に延びるように形成された溝部であることを特徴とする缶蓋である。
【００１０】
請求項４に係る発明は、請求項１から３のいずれかの発明において、前記タブは、略長方形状に形成され、前記押し下げ部は、前記タブの長手方向で一端部を構成するとともに、略円弧状に形成された部分に前記長手方向における先端部を有し、前記滑り止め部は、前記押し下げ部のうち、前記押し下げ部の先端部と前記リベットの中心とを結ぶ直線に対して、前記パネル部に前記スコア線の終端部が設けられている側に設けられていることを特徴とする缶蓋である。
【００１１】
請求項５に係る発明は、請求項４の発明において、前記滑り止め部は、前記押し下げ部のうちの、前記リベットを中心とする中心角が、前記押し下げ部の先端部と前記リベットの中心とを結ぶ直線からの角度範囲で３０°以上８０°以下となる領域内に形成されていることを特徴とする缶蓋である。
【発明の効果】
【００１２】
請求項１の発明によれば、タブの押し下げ部に滑り止め部が設けられていることにより、開封時に押し下げ部と開口片との間で生じる摩擦力を増大させることができるため、開封時に空振りが生じることを抑制できる。また、滑り止め部がタブに設けられているので、パネル部の構成を変更する必要がなく、様々な形状のパネル部に適用することができる。さらに、パネル部表面に滑り止め部を形成しないことにより、缶蓋における内圧に対する性能を維持させることができる。
【００１３】
請求項２の発明によれば、滑り止め部が、押し下げ部のうち開口片と対向する部分であって、縦断面曲線状のコーナー部表面に形成されていることにより、開封時に空振りが生じることを効果的に抑制できる。
【００１４】
請求項３の発明によれば、滑り止め部が、押し下げ部の周方向に延びる溝部により構成されているため、開封時に空振りが生じることを効果的に抑制できる。
【００１５】
請求項４の発明によれば、タブの指掛け部を上方へ持ち上げる過程で確実に滑り止め部を開口片に接触させることができ、開封時に空振りが生じることを効果的に抑制できる。
【００１６】
請求項５の発明によれば、タブの指掛け部を上方へ持ち上げる過程で確実に滑り止め部を開口片に接触させることができ、より確実に空振りが発生することを抑制できる。
【図面の簡単な説明】
【００１７】
【図１】この発明の一例における缶蓋を模式的に示した平面図である。
【図２】図１に示す缶蓋のＡ−Ａ縦断面を模式的に示した縦断面図である。
【図３】図１に示すタブにおいてパネル部との対向面を模式的に示した下面図である。
【図４】図１に示すタブにおいて滑り止め部が形成された押し下げ部の縦断面を模式的に示した縦断面図である。
【図５】図１に示す缶蓋のうちタブを除いた構成を模式的に示した平面図である。
【発明を実施するための形態】
【００１８】
以下、図面を参照して、この発明に係る缶蓋の実施例について具体的に説明する。図１には、この具体例における缶蓋の平面を示し、図２には、図１に示す缶蓋のＡ−Ａ縦断面図を示してある。図示するように、この具体例の缶蓋１は、いわゆるステイオンタブ式の缶蓋であり、アルミニウム合金等の金属製薄板をプレス成形することにより形成され、円形状のパネル部２が中央に設けられ、そのパネル部２の外周縁２ａに沿ってパネル部２から下方に窪んだ環状溝部３が設けられているとともに、その環状溝部３の外周縁から外周側かつ上方に向けて延びるように形成され周端部をカールさせた缶胴固着用のフランジカール部４が設けられている。また、缶蓋１は、パネル部２の中心Ｏに配置されたタブ固着用のリベット５を備え、そのリベット５は、パネル部２の上面から上方に突出するように形成され開封操作用のタブ１０を固着している。さらに、パネル部２には、破断容易なスコア線７が所定範囲を区画するように形成されており、そのスコア線７により区画された部分が開封時に開口変形する開口片８を構成している。したがって、タブ１０と開口片８とは上下方向で対向するように配置されている。
【００１９】
そのタブ１０の外周縁１０ａは平面形状が略長方形状に形成されており、その長手方向の両端部分には、一端部として指掛け部１１が設けられ、他端部として押し下げ部１２が設けられている。指掛け部１１は、開封時に開封者の指が掛けられる部分であり、外周形状が直線状となる部分を含むように形成されている。押し下げ部１２は、開封時にパネル部２の開口片８を下方に押圧する部分であり、外周形状は略円弧状に形成されている。また、指掛け部１１と押し下げ部１２とは、直線状の長手部分を介して接続されて形成され、押し下げ部１２の先端部１２ａがタブ１０における長手方向の先端部を形成している。
【００２０】
そのタブ１０は、内周側に設けられた板状の固着部１３においてリベット５に固着されている。図３には、図１に示すタブ１０の下視図を示してあり、図３に示すように、固着部１３には、貫通孔であるリベットホール１３ａが設けられ、そのリベットホール１３ａ内を貫通するリベット５によってパネル部２に取り付けられている。固着部１３のリベットホール１３ａ中心は、リベット５中心すなわちパネル部２の中心Ｏと一致する。したがって、開封者により指掛け部１１が上方に持ち上げられた際、梃子作用により押し下げ部１２がパネル部２に当接するように構成されている。なお、タブ１０における長手部上面には、上方に突出する補強用の凸ビード１４が形成され、その凸ビード１４は各長手部における外周縁１０ａに沿う直線状に形成されている。
【００２１】
また、この説明では、押し下げ部１２の先端部１２ａとパネル部２の中心Ｏとを結ぶ直線を基準線Ｍと記載し、その中心Ｏを通り基準線Ｍと直交する直線を直交線Ｎと記載して説明する。つまり、基準線Ｍは、タブ１０において押し下げ部１２の先端部１２ａと固着部１３のリベットホール１３ａの中心とを結ぶ直線である。また、説明の便宜上、タブ１０はリベット５と回転中心としてパネル部２に対して回転させず、その基準線Ｍおよび直交線Ｎを用いてタブ１０以外の構成について説明する。さらに、図１に示す基準線Ｍおよび直交線Ｎにより区切られる領域について、図１中の左上領域を領域I、左下領域を領II、右上領域を領域III、右下領域を領域IVとして缶蓋１の説明に用いる。
【００２２】
その領域を用いて押し下げ部１２を説明すると、図１に示すように、押し下げ部１２は、パネル部１０の外周縁１０ａのうち領域Iおよび領IIに該当する部分を形成するように構成されている。詳細には、押し下げ部１２は、基準線Ｍ方向において、先端部１２ａ側が略円弧状の外周形状に形成され、反対に直交線Ｎ側では基準線Ｍと平行な直線状の外周形状に形成されている。すなわち、押し下げ部１２における外周縁１０ａは、直交線Ｎと交差する部分が直線状に形成されている。さらに、図２に示すように、押し下げ部１２は、パネル部２の開口片８と上下方向で対向するように配置され、素材となる金属板を二重または三重に折り曲げたカール部１２Ａを含むように構成されている。
【００２３】
図４には、押し下げ部１２の縦断面図を模式的に示し、図４に示すように、押し下げ部１２におけるカール部１２Ａは、上面１２ｂから外周縁１０ａに向けて下方かつ外周側に延びるように形成された上側コーナー部１２ｃと、外周縁１０ａから下面１２ｅに向けて下方かつ内周側に延びるように形成された下側コーナー部１２ｄとを備えている。その下側コーナー部１２ｄおよび下面１２ｅが、押し下げ部１２における開口片８との対向面を形成している。
【００２４】
その下側コーナー部１２ｄは、押し下げ部１２のうち開口片８と当接する部分を構成し、開口片８との摩擦抵抗を増大させる表面形状によって形成された滑り止め部１５を備えている。つまり、滑り止め部１５は、開口片８の上面と当接した際に生じる摩擦力を増大させるように構成されている。例えば、滑り止め部１５として、下側コーナー部１２ｄの表面から突出するように形成された突起や、その表面から凹んだ窪み部や、押し下げ部１２における外周縁１０ａの周方向に沿うように形成された凸条あるいは溝条などによって構成されることができる。つまり、滑り止め部１５は、下側コーナー部１２ｄの表面に形成された凹凸形状によって構成されている。
【００２５】
この具体例の滑り止め部１５は、図４に示すように細溝によって構成され、図３に示すように、押し下げ部１２の外周縁１０ａ形状に沿うようにして周縁方向に延びるように形成されている。この場合、滑り止め部１５は、周方向に延びるように形成された上側エッジ部１５ａおよび下側エッジ部１５ｂからなる二本のエッジを有している。そのエッジ部１５ａ，１５ｂが押し下げ部１２と開口片８との摩擦抵抗となり摩擦力を増大させることができる。
【００２６】
さらに、滑り止め部１５は、下側コーナー部１２ｄの所定範囲に設けられている。言い換えれば、押し下げ部１２のうちパネル部２の開口片８と当接する部分のみに摩擦力を増大させる表面形状を有する滑り止め部１５を設ければよい。また、この具体例の滑り止め部１５は、押し下げ部１２のうち領域I内の範囲に設けられている。この場合、滑り止め部１５が形成される箇所は、パネル中心Ｏを中心とする中心角αの角度範囲によって設定することができる。図１に示す押し下げ部１２では、領域I内において、直交線Ｎからの中心角αが１０°〜６０°の角度範囲に設定され、この角度範囲内の全域に亘って周方向に延びるようにして滑り止め部１５が形成されている。なお、滑り止め部１５は、領域I内の下側コーナー部１２ｄのうち、少なくとも直交線Ｎからの中心角αが１０°〜６０°（好ましくは３０°〜６０°）の角度範囲内の何れかの箇所には形成されていることが好ましい。すなわち、基準線Ｍからの中心角αが３０°〜８０°（好ましくは３０°〜６０°）の角度範囲内の何れかの箇所には形成されている。例えば、細溝によって構成された滑り止め部１５の場合、下側コーナー部１２ｄのうちその直交線Ｎからの中心角αが１０°〜６０°の角度範囲内に、図１に示すように細溝の一方の端部が含まれてもよく、もしくは細溝の全域が含まれてもよく、あるいは細溝の両端部が直交線Ｎからの中心角α１０°〜６０°の角度範囲を挟むようにその両側に配置されてもよい。
【００２７】
また、パネル部２のうち押し下げ部１２と対向する部分には、開口片８が設けられており、その開口片８は、パネル部２における凹部２２の底面２２ａに形成され、スコア線７によって所定範囲を区画するように形成されている。凹部２２は、縦断面平坦状の平坦部２１の内周縁から下方に凹んで形成され、縦断面平坦状の底面２２ａが、平坦部２１よりも下方に配置され、かつパネル部２の中心Ｏを含む範囲に設けられている。また、底面２２ａの外周縁から上方かつ外周側に延びるように形成された傾斜面を介して底面２２ａと平板部２１とが接続されている。したがって、この具体例のリベット５は、凹部２２の底面２２ａから上方に突出するように形成されている。
【００２８】
そのスコア線７について、図５を参照して説明する。図５には、図１に示す缶蓋１のうちタブ１０を除いた構成の平面図を模式的に示してあり、その図５に示すように、スコア線７は、破断時に最初に破断させる始端部７Ｓがリベット５の近傍に配置され、その始端部７Ｓから最後に破断される終端部７Ｅに到る一連の曲線状に形成され、その両端部７Ｓ，７Ｅは離隔するように配置されている。この始端部７Ｓと終端部７Ｅとに挟まれた部分が、スコア線７が全域に亘って破断された際に缶体内方へ開口変形させられた開口片８をパネル部２から離脱させないようにつなぎ止めるつなぎ部２ｂを構成する。つなぎ部２ｂは、図５に示すように、領域I内に設けられている。
【００２９】
そのスコア線７の両端部７Ｓ，７Ｅは、基準線Ｍ方向で直交線Ｎより図５中の左側に配置され、詳細には領域I内に配置されている。すなわち、スコア線７の終端部７Ｅと、押し下げ部１２の滑り止め部１５とは同じ領域内に配置されている。また、スコア線７が基準線Ｍと交差する箇所のうち、リベット５近傍を初期スコア線７ａ、パネル部２の外周縁２ａ近傍を後期スコア線７ｃとすると、スコア線７は、始端部７Ｓから初期スコア線７ａを介して中期スコア線７ｂに向けて延び、その中期スコア線７ｂから後期スコア線７ｃを経由して終端部７Ｅに到るように一連の湾曲状に形成されている。さらに、スコア線７は、全域に亘って領域Iおよび領域II内に設けられている。この具体例の缶蓋１は、開口片８により形成される開口部が広口タイプのものであり、スコア線７により区画された形状は、基準線Ｍ方向の幅が直交線Ｎ方向の幅よりも狭くなるように形成されている。
【００３０】
さらに、図２に示すように、初期スコア線７ａは、パネル部２のうちタブ１０と対向する部分に設けられ、押し下げ部１２の先端部１２ａよりもパネル部２の中心Ｏ側（内周側）に設けられている。一方、後期スコア線７ｃは、タブ１０よりも外周側に配置されている。したがって、開口片８の一部がタブ１０の押し下げ部１２と対向するように配置され、かつタブ１０の押し下げ部１２と当接する当接部を構成している。
【００３１】
その開口片８には、底面２２ａから上方に突出する補強用の凸ビード８１が設けられている。凸ビード８１は、開封時に開口片８が撓むことを低減させるため、かつスコア線７を破断させ易くさせるためのものであり、スコア線７の形状に沿うように形成されている。具体的には、図１に示すように、凸ビード８１は、内周側に略三日月状の底面２２ａが形成されるように環状に設けられ、スコア線７の内周縁に沿うように略楕円状に形成された楕円部８１ａと、押し下げ部１２の外周縁１０ａに沿うように略円弧状に形成された縁沿い部８１ｂとを備えている。
【００３２】
さらに、凸ビード８１の一部は、押し下げ部１２と上下方向で対向し、かつ押し下げ部１２と当接する位置決め部８２を構成している。例えば、図５に示すように、凸ビード８１は、その外周縁形状が楕円部８１ａから縁沿い部８１ｂに変化する部分において、楕円部８１ａの外周縁を延長させた形状の位置決め部８２を備えている。この位置決め部８２と押し下げ部１２とが当接することにより、パネル中心Ｏを中心とする円周方向にタブ１０が回転することを防止するとともに、開封時にはタブ１０の滑り止め部１５と位置決め部８２との接触箇所で空振りを防止させるための摩擦力を生じさせることができる。
【００３３】
一方、パネル部２のうち指掛け部１１と対向する部分には、凹部２２の底面２２ａよりも下方に凹んで形成された指入れ用凹部６が設けられている。具体的には、指入れ用凹部６は、凹部２２の底面２２ａよりも下方に配置された底面６ａを有し、その底面６ａは、底面６ａの外周縁から水平方向に対して上方に傾斜した傾斜面を介して凹部２２の底面２２ａおよび平坦部２１と接続されている。要は、缶蓋１は、タブ１０の指掛け部１１と指入れ用凹部６とが上下方向で対向するように構成されていればよく、指掛け部１１が指入れ用凹部６の底面６ａと対向するように構成されてもよく、あるいは指掛け部１１が指入れ用凹部６における傾斜面と対向するものの底面６ａとは対向しないように構成されてもよい。
【００３４】
なお、図５に示すように、凹部２２の底面２２ａのうちタブ１０と上下方向で対向する部分には、リベット５の周縁に沿う形状に形成され、かつ底面２２ａから下方に凹んだ補強用の凹ビード２３と、底面２２ａから上方に突出する凸部２４とが形成されている。凹ビード７は、リベット５の近傍に配置され、かつ略円弧状に形成されている。また、凸部２４は、凹ビード２３よりも外周側の二箇所に設けられ、タブ１０における長手部の下面と当接するように構成されている。さらに、パネル部２における平坦部２１の下面（内表面）には、上方に凹んだ凹面２５が形成されている。その凹面２５は、パネル部２の外周縁２ａに沿う円弧状に形成され、開口片８側に設けられた凹面２５ａと、指入れ用凹部６側に設けられた凹面２５ｂとを含む。
【００３５】
つぎに、タブ１０が開封操作された場合の缶蓋１における動作について説明する。まず、未開封の缶容器においてタブ１０が開封操作され始めると、タブ１０の一端部である指掛け部１１が上方に持ち上げられることにより、タブ１０の固着部１３およびリベット５が上方に持ち上げられる。この場合、タブ１０の他端部である押し下げ部１２は、滑り止め部１５を含む当接部が、スコア線７が一切破断されていない状態の開口片８における底面２２ａおよびその底面２２ａから上方に突出する位置決め部８２と当接している。つまり、スコア線７が未破断である開封初期では、タブ１０において、指掛け部１１が力点、押し下げ部１２が支点、固着部１３が作用点となり、図２に示すタブ１０の右側から力点，作用点，支点の順に並び、タブ１０がいわゆる第二種梃子となる。その第二種の梃子作用を生じることにより、タブ１０の固着部１３およびパネル部２のリベット５が上方に変位するため、リベット５近傍のパネル部２中央が上方に変形する。なお、スコア線７が未破断の状態かつタブ１０が開封操作されていない状態において、押し下げ部１２の当接部が、パネル部２の開口片８と当接しないように形成されている場合には、タブ１０が開封操作され始め前述した第二種の梃子作用を生じる間に、押し下げ部１２が下方に変位して開口片８と当接するように構成されてもよい。
【００３６】
そして、その第二種の梃子作用が生じている状態において、さらにタブ１０の指掛け部１１が上方に持ち上げられると、パネル部２のリベット５に作用する上方への力が増大して、スコア線７は始端部７Ｓから破断され始める。この初期破断が起こると、スコア線７において始端部７Ｓから初期スコア線７ａに向けて破断され始める。また、その初期破断時、押し下げ部１２の滑り止め部１５は、開口片８の位置決め部８２および底面２２ａと当接し、タブ１０の開封方向に対する摩擦力を生じさせている。
【００３７】
その初期破断が生じた後、指掛け部１１がさらに上方へ持ち上げられると、タブ１０において、押し下げ部１２が作用点、固着部１３が支点、指掛け部１１が力点となり、図２に示すタブ１０の右側から力点，支点，作用点の順に並び、タブ１０がいわゆる第一種梃子となる。この第一種の梃子作用を生じる状態において、缶蓋１は、長手方向の一端部である指掛け部１１をパネル部２から離れる方向（上方）へ変位させる外力が掛けられ続けている場合、その他端部である押し下げ部１２が、開口片８に当接させられた状態で開口片８を下方に変位させ続けるように構成されている。すなわち、押し下げ部１２の滑り止め部１５が開口片８の底面２２ａおよび位置決め部８２と摩擦接触している状態で、押し下げ部１２は開口片８を下方に押圧している。
【００３８】
そのように、第一種の梃子作用状態で、タブ１０の押し下げ部１２が開口片８を下方に押圧することにより、スコア線７のうち初期破断では破断されなかった残りの部分が破断される。具体的には、スコア線７のうち初期スコア線７ａから中期スコア線７ｂにかけて破断される中期破断が生じ、その後、後期スコア線７ｃから終端部７Ｅに到る部分が破断される後期破断が生じる。したがって、スコア線７が全域に亘って破断された破断完了状態となり、パネル部２に所望の開口部が形成されるとともに、開口片８は、その一部がパネル部２の底面２２ａと繋がった状態で容器内方に塑性変形させられる。
【００３９】
その中期破断時、開口片８は、始端部７Ｓから中期スコア線７ｂに亘ってスコア線が破断され、かつつなぎ部２ｂおよび未破断の後期スコア線７ｃによってパネル部２の底面２２ａと繋がっている。そのため、中期破断状態の開口片８は、直交線Ｎ方向で水平方向に対して傾いて変形させらており、領域II側部分が領域I側部分に比べて下方に変形させられている。すなわち、中期破断時、押し下げ部１２における領域I側の部分は、開口片８との当接状態を維持している。つまり、その中期破断時では、押し下げ部１２のうち領域II側の部分よりも領域I側の部分が、開口片８を下方へ押圧させる荷重を作用させていることになる。したがって、この具体例の缶蓋１によれば、押し下げ部１２のうち領域II内の箇所に滑り止め部１５が設けられているので、その中期破断および後期破断時において、一部開口変形した開口片８に対して押し下げ部１２が滑ることを低減させることができる。これにより、空振りを生じさせずにスコア線７を全域に亘って確実に破断させることができる。
【００４０】
要は、この具体例における缶蓋１は、初期破断から破断完了に到る間、押し下げ部１２の滑り止め部１５が開口片８の上面と摩擦接触し続けられるように構成されている。特に、滑り止め部１５は、押し下げ部１２のうち、後期スコア線７ｃから終端部７Ｅに到る部分のスコア線７を破断させる際に開口片８を下方に押圧する部分に設けられている。そのため、この具体例における缶蓋１では、前述した第一種梃子作用時に、押し下げ部１２の当接部が開口片８を下方に押圧し続けられるように、その当接部に設けられた滑り止め部１５と開口片８上面との間で摩擦力を生じさせ続けることができる。
【００４１】
なお、上述した上方および下方とは、缶蓋１を円筒状の缶胴に接合させて形成された缶容器（缶体）において、缶蓋１が上側となるように缶容器を直立させた場合における上下方向のことである。例えば、図１に示す缶蓋１では、図中の手前側が上方であり、奥側が下方である。また、径方向では、径方向と平行な方向を水平方向と記載するとともに、径方向内方を内周側、径方向外方を外周側と記載して説明する。
【００４２】
以上、説明したように、この具体例の缶蓋によれば、タブの押し下げ部に、パネル部との摩擦抵抗を増大させる滑り止め部が設けられていることにより、タブの開封操作時に空振りを生じさせるような、タブとパネル部との接触箇所での滑りを低減させることができる。
【００４３】
なお、この発明は、前述した具体例に限定されず、発明の目的を逸脱しない範囲で変更が可能である。例えば、タブにおける押し下げ部の外周形状は、前述した具体例の形状に限定されず、全域に亘って略円弧状に形成されてもよい。
【符号の説明】
【００４４】
１…缶蓋、  ２…パネル部、  ２ａ…外周縁、  ３…環状溝部、  ４…フランジカール部、  ５…リベット、  ６…指入れ用凹部、  ７…スコア線、  ８…開口片、  １０…タブ、  １１…指掛け部、  １２…押し下げ部、  １３…固着部、  １５…滑り止め部。
【図１】
2015071436.tif 000003
【図２】
2015071436.tif 000004
【図３】
2015071436.tif 000005
【図４】
2015071436.tif 000006
【図５】
2015071436.tif 000007